(57)【要約】　【課題】　光磁気記録再生装置の薄型化を可能とする磁気ヘッド装置を提供する。　【解決手段】　弾性部１０を含む支持材６と、支持材６への当接及び離間が可能な磁気ヘッド昇降部材２０と、押さえ部６３の支持材６への当接及び離間が可能な磁気ヘッド押さえ部材６１とを備え、ヘッド本体５は、情報記録媒体１に近接又は接触した第１の位置と、第１の位置に比べ情報記録媒体１から遠ざかった第２の位置とに移動可能であり、第１の位置から第２の位置へ移動する間に、磁気ヘッド昇降部材２０が支持材６に当接し、押さえ部６３が弾性部１０に当接し、押さえ部６３の当接位置は、磁気ヘッド昇降部材２０と支持材６との当接位置よりも支持材６の固定位置側であり、第２の位置では、押さえ部６３の押圧により弾性部１０が情報記録媒体１側に弾性変形している。【選択図】　図４
2004119000.tif 000002
【特許請求の範囲】
【請求項１】
　情報記録媒体に磁界を印加するヘッド本体を先端に取り付け、他端が固定され、前記ヘッド本体と前記固定された他端との間に弾性変形可能な弾性部を含む支持材と、
　前記支持材と前記情報記録媒体の間に配置し、前記支持材への当接及び前記支持材からの離間が可能なように固定された磁気ヘッド昇降部材と、
　前記支持材の両面のうち、前記情報記録媒体と反対側の面と対向する押さえ部を含み、前記押さえ部の支持材への当接及び前記押さえ部の前記支持材からの離間が可能なように固定された磁気ヘッド押さえ部材とを備え、
　前記ヘッド本体は、前記ヘッド本体が前記情報記録媒体に近接又は接触し記録又は再生を行う第１の位置と、前記ヘッド本体が前記第１の位置に比べ前記情報記録媒体から遠ざかった第２の位置とに移動可能であり、
　前記ヘッド本体が前記第１の位置から前記第２の位置へ移動する間に、前記磁気ヘッド昇降部材が前記支持材に近づき当接し、前記磁気ヘッド押さえ部材の前記押さえ部が前記支持材に近づき前記弾性部に当接し、
　前記押さえ部と前記弾性部との当接位置は、前記磁気ヘッド昇降部材と前記支持材との当接位置よりも前記支持材の固定位置側であり、
　前記第２の位置においては、前記押さえ部が前記弾性部を押圧して前記弾性部が前記情報記録媒体側に弾性変形していることを特徴とする磁気ヘッド装置。
【請求項２】
　前記情報記録媒体の面と略平行で一端が固定され、前記支持材の両面のうち、前記情報記録媒体と反対側の面と対向するように配置された磁気ヘッド保持部材をさらに備えており、
　前記磁気ヘッド押さえ部材は、前記磁気ヘッド保持部材に設けた請求項１に記載の磁気ヘッド装置。
【請求項３】
　前記磁気ヘッド押さえ部材は、前記磁気ヘッド保持部材と弾性変形可能な磁気ヘッド押さえ弾性部を介して結合されている請求項２に記載の磁気ヘッド装置。
【請求項４】
　前記磁気ヘッド押さえ弾性部は、前記支持体の長手方向に略平行に配置された複数の板ばねで構成している請求項３に記載の磁気ヘッド装置。
【請求項５】
　前記第２の位置において、前記磁気ヘッド押さえ部材の前記支持体の長手方向における両端のうち、一端が前記情報記録媒体から遠ざかる方向に移動し、かつ前記支持材と当接しており、他端が前記情報記録媒体に近づく方向に移動し、かつ前記支持材の前記弾性部と当接している請求項２に記載の磁気ヘッド装置。
【請求項６】
　前記第２の位置において、前記磁気ヘッド押さえ部材の前記支持体の長手方向における両端のうち、一端が前記情報記録媒体から遠ざかる方向に移動し、かつ前記磁気ヘッド昇降部材と当接しており、他端が前記情報記録媒体に近づく方向に移動し、かつ前記支持材の前記弾性部と当接している請求項２に記載の磁気ヘッド装置。
【請求項７】
　前記支持材の前記支持材弾性部と前記ヘッド本体との間に支持材穴部を備えており、前記磁気ヘッド押さえ部材の一端の前記磁気ヘッド昇降部材への当接は、前記磁気ヘッド押さえ部材の一端が前記支持材穴部を貫通してされている請求項６に記載の磁気ヘッド装置。
【請求項８】
　情報記録媒体に磁界を印加するヘッド本体を先端に取り付け、他端が固定され、前記ヘッド本体と前記固定された他端との間に弾性変形可能な第１の弾性部を含む支持材と、
　前記支持材と前記情報記録媒体の間に配置し、前記支持材への当接及び前記支持材からの離間が可能なように固定された磁気ヘッド昇降部材と、
　弾性変形可能な第２の弾性部を含み、前記情報記録媒体の面と略平行で、前記第２の弾性部側の一端が固定され、前記支持材の両面のうち、前記情報記録媒体と反対側の面と対向するように配置された磁気ヘッド保持部材と、
　前記磁気ヘッド保持部材に設けられ、前記磁気ヘッド昇降部材と対向するように前記情報記録媒体側に突出した姿勢保持部とを備え、
　前記ヘッド本体は、前記ヘッド本体が前記情報記録媒体に近接又は接触し記録又は再生を行う第１の位置と、前記ヘッド本体が前記第１の位置に比べ前記情報記録媒体から遠ざかった第２の位置とに移動可能であり、
　前記第１の位置において、前記姿勢保持部が前記磁気ヘッド昇降部材と当接することを特徴とする磁気ヘッド装置。
【請求項９】
　前記姿勢保持部及び前記磁気ヘッド昇降部材のうちの少なくともいずれかは前記情報記録媒体の面と略平行な平面部を備えており、前記第１の位置において前記平面部と前記姿勢保持部又は前記磁気ヘッド昇降部材とが当接する請求項８に記載の磁気ヘッド装置。
【請求項１０】
　前記磁気ヘッド昇降部材は、前記情報記録媒体の面と略平行かつ前記支持材の長手方向と略直交する軸を中心に回動し、前記第１の位置において、前記中心よりも前記磁気ヘッド保持部材の前記固定された一端側で、前記姿勢保持部が前記磁気ヘッド昇降部材と当接する請求項８に記載の磁気ヘッド装置。
【請求項１１】
前記磁気ヘッド保持部材に磁気ヘッド押さえ部材が設けられており、
　前記ヘッド本体が第１の位置から第２の位置へ移動する間に、前記磁気ヘッド押さえ部材の一端が前記支持材又は前記磁気ヘッド昇降部材と当接し、かつ前記情報記録媒体から離れる方向へ移動し、
　前記磁気ヘッド押さえ部材の他端は、前記支持材に近づき前記第１の弾性部と当接し、前記第２の位置において、前記第１の弾性部を前記情報記録媒体側に弾性変形させ、
　前記第２の位置では前記姿勢保持部は、前記磁気ヘッド昇降部材から離間する請求項９に記載の磁気ヘッド装置。
【請求項１２】
前記磁気ヘッド昇降部材は、前記情報記録媒体側へ凹んだ凹部、貫通孔又は切り欠きが形成された退避部が形成されており、
　前記情報記録媒体を傾斜させ、前記情報記録媒体の着脱を行う位置を第３の位置とすると、
　前記第３の位置では、前記姿勢保持部は前記退避部に退避する請求項８に記載の磁気ヘッド装置。
【請求項１３】
前記ヘッド本体が、前記第１の位置から前記第２の位置へ移動する間に、前記磁気ヘッド昇降部材は前記支持材の長手方向に移動し、前記姿勢保持部と前記磁気ヘッド昇降部材とが離間する請求項８に記載の磁気ヘッド装置。
【発明の詳細な説明】
【技術分野】
【０００１】
　本発明は磁気ヘッド装置に関するものであり、詳しくは光磁気記録再生装置や磁気ヘッド装置の薄型化を可能とする磁気ヘッド装置に関するものである。
【背景技術】
【０００２】
　光磁気記録再生装置は、ディスク回転駆動機構によって回転操作される情報記録媒体である光磁気ディスクの一方の面側に、情報記録媒体の光磁気記録層に照射される光ビームを出射する光学ヘッドを配置し、光磁気ディスクの他方の面側に光磁気記録層に外部磁界を印加する磁気ヘッドを対向配置している（下記特許文献１参照）。
【０００３】
　光磁気記録再生装置は、回転操作される光磁気ディスクの光磁気記録層に、磁気ヘッドから記録すべき情報信号に応じて磁界の向きが変調された磁界を印加するとともに、光学ヘッドから出射される光ビームを集光して照射する。
【０００４】
　この光ビーム照射によって、キュリー温度以上に加熱されて保磁力を消失した部分が、磁気ヘッドから印加される磁界の方向に応じて磁化された後、光磁気ディスクの回転による光ビームの相対移動によってキュリー温度以下に低下し、この磁化の方向が固定されることによって情報信号の記録が行われる。
【０００５】
　光磁気ディスクは回転操作されるので面振れを生じ易い。このため磁気ヘッドには光磁気ディスクの面振れ方向に揺動可能な支持材の先端にヘッド本体が取り付けられている。このヘッド本体は、磁界印加部分が装着され、光磁気ディスクと接触摺動または光磁気ディスクと微少な距離を保って浮上するスライダから構成される。
【０００６】
　磁気ヘッドは、スライダが光磁気ディスクと接触摺動又は浮上するなどして互いに近接し記録状態となる第１の位置と、光磁気ディスク装置の磁気ヘッド昇降装置により支持材の揺動端とヘッド本体が光磁気ディスクから離間し、再生状態となる第２の位置とがある。
【０００７】
　以下図４４〜図４７を用いて従来の磁気ヘッド装置について説明する。図４４は従来の磁気ヘッド装置の一例の平面図である。図４５は図４４に示した磁気ヘッド装置の第１の位置（記録状態）でのＸ−Ｘ断面側面図である。図４６は図４
４の磁気ヘッド装置の第２の位置（再生状態）でのＸ−Ｘ断面側面図である。図４７は図４４に示す磁気ヘッドのヘッド本体の側面断面図である。
【０００８】
　従来の磁気ヘッド装置は、ヘッド本体５と、その摺動部１７を光磁気ディスク１の面に加圧する薄い支持材６と、この支持材６の一端を取り付けた固定材７とからなる。支持材６の他端には、接着、融着などの方法によってヘッド本体５が取り付けられている。
【０００９】
　ヘッド本体５は、図４７に示すように、フェライト等の軟磁性体からなるＥ型の磁気コア１３の中心磁極に巻回したコイル１４を装着して磁気ヘッド素子１５を形成し、この磁気ヘッド素子１５を、直接光磁気ディスク１に接触摺動する摺動部１７を具備し摺動性の良い樹脂、例えばポリフェニレンサルファイド、液晶ポリマーなどでてきた摺動体１６に接着固定又は樹脂一体成形などで一体に取り付けて形成される。
【００１０】
　支持材６は、例えばＳＵＳ３０４、ＢｅＣｕなどの薄板で形成される。
【００１１】
　支持材６は、その一端が固定材７に固定され、光磁気ディスク１の面振れに追従し、且つ光磁気ディスク１への記録を行う位置である第１の位置で、ヘッド本体５に光磁気ディスク１の方向への荷重を与える為の第１の弾性部である第１のバネ系１０と、この第１のバネ系１０よりカートリッジ２と干渉しないような所定角度で傾斜し、幅方向両側に絞りで形成された絞りリブ１１を有することで剛体部となる中継部９と、中継部９より延長して光磁気ディスク１の表面形状に追従するための第２の弾性部である第２のバネ系８とで構成される。
【００１２】
　フレキシブルプリント基板３は、一端をヘッド本体５に接着され他端を支持材６の固定材７付近に接着されている。そして、フレキシブルプリント基板３の一端はコイル１４の引き出し線の両端が半田付けされ、他端は図示しない磁気ヘッドの駆動回路へ接続される。
【００１３】
　固定材７は、例えば鉄、ステンレスなどの金属板からなる。
【００１４】
　固定材７は、支持材６の一端を固定すると共に、磁気ヘッド４と図示しない光学ヘッドとを締結する締結部材１９とシャフト１８を介し回動自在に取り付けられ、バネなどによって光磁気ディスク１の方向へ付勢されている。
【００１５】
　次に、磁気ヘッドを第１の位置から第２の位置へ移動する磁気ヘッド昇降装置について説明する。
【００１６】
　リフトメカ２２０は、装填された情報記録媒体に対応する光磁気ディスク１及びカートリッジ２を保持するホルダ２３と磁気ヘッド４との間に配され、ホルダ２３に対し昇降回動軸２２６を介して回動自在に取り付けられている。ホルダ２３にはスライド部材２４が取り付けられ、ホルダ２３に取り付けられたモータ、ギヤなどから構成される昇降駆動部２５によって、図４４の矢印ａまたは矢印ｂの方向（図４４〜図４７のＹ方向）にスライド可能となっている。リフトメカ２２０は図示しないバネなどによりスライド部材２４に付勢力が与えられている。
そしてスライド部材２４がリフトメカ２２０と当接する部分にはカム機構を具備する。リフトメカ２２０およびスライド部材２４は、例えばステンレスや鉄等の薄い金属板や樹脂からなる。そしてリフトメカ２２０の第２の位置で磁気ヘッド４と当接する部位には、曲面形状を有する昇降部２２１が配されている。
【００１７】
　磁気ヘッドの第１の位置（記録位置）、すなわち図４５に示すごとく摺動部１７が光磁気ディスク１と接触摺動する状態では、ヘッド本体５に光磁気ディスク１へ接触する方向に荷重を与える第１のバネ系８、光磁気ディスク１の面振れや表面形状の変化に応じて変位する第２のバネ系１０によって、光磁気ディスク１の面振れや表面形状の変化に摺動部１７が追従し常に接触摺動する。
【００１８】
　この時リフトメカ２２０は磁気ヘッド４と接触しないように、昇降部２２１を光磁気ディスク１側へ退避している。
【００１９】
　磁気ヘッドの第１の位置（記録位置）から第２の位置（再生位置）への移動では、昇降駆動部２５によってスライド部材２４が図４４に示す矢印ｂの方向にスライド移動し、カム機構によってリフトメカ２２０を昇降回動軸２２６を中心として回動し、昇降部２２１を光磁気ディスク１から離間する方向へ移動する。そして、昇降部２２１は磁気ヘッド４の中継部と当接し、ヘッド本体５を光磁気ディスク１から離間しカートリッジ２との隙間Ｈ２を有する位置すなわち第２の位置へ上昇させていた。このとき、ヘッド本体５を光磁気ディスク１から離間させる回動中心が、第１のバネ系１０の固定材７側の端部（Ｐ１）となっている。
【特許文献１】国際公開第ＷＯ９８／０２８８２号パンフレット
【発明の開示】
【発明が解決しようとする課題】
【００２０】
　近年小型のポータブル機器の普及に伴い、装置の薄型化が進んでおり、磁気ヘッドの薄型化やカートリッジ上面から固定材までの高さＨ３の薄型化が進んでいる。しかしながら、上記従来の磁気ヘッド装置の構成では、ヘッド本体を第２の位置へ移動させるために必要となる昇降部の変位量が大きいので、ヘッド本体を光磁気ディスクから十分に離間させるために、昇降部自体を光磁気ディスクから大きく離間する必要があった。また、磁気ヘッドの折り曲げ部分が固定材よりも突出し、これらにより光磁気記録再生装置を薄型にできないという問題があった。
【００２１】
　本発明は、前記のような従来の問題を解決するものであり、光磁気記録再生装置の薄型化を可能とする磁気ヘッド装置を提供することを目的とする。
【課題を解決するための手段】
【００２２】
　前記目的を達成するために、本発明の第１の磁気ヘッド装置は、情報記録媒体に磁界を印加するヘッド本体を先端に取り付け、他端が固定され、前記ヘッド本体と前記固定された他端との間に弾性変形可能な弾性部を含む支持材と、前記支持材と前記情報記録媒体の間に配置し、前記支持材への当接及び前記支持材からの離間が可能なように固定された磁気ヘッド昇降部材と、前記支持材の両面のうち、前記情報記録媒体と反対側の面と対向する押さえ部を含み、前記押さえ部の支持材への当接及び前記押さえ部の前記支持材からの離間が可能なように固定された磁気ヘッド押さえ部材とを備え、前記ヘッド本体は、前記ヘッド本体が前記情報記録媒体に近接又は接触し記録又は再生を行う第１の位置と、前記ヘッド本体が前記第１の位置に比べ前記情報記録媒体から遠ざかった第２の位置とに移動可能であり、前記ヘッド本体が前記第１の位置から前記第２の位置へ移動する間に、前記磁気ヘッド昇降部材が前記支持材に近づき当接し、前記磁気ヘッド押さえ部材の前記押さえ部が前記支持材に近づき前記弾性部に当接し、前記押さえ部と前記弾性部との当接位置は、前記磁気ヘッド昇降部材と前記支持材との当接位置よりも前記支持材の固定位置側であり、前記第２の位置においては、前記押さえ部が前記弾性部を押圧して前記弾性部が前記情報記録媒体側に弾性変形していることを特徴とする。
【００２３】
　次に、本発明の第２の磁気ヘッド装置は、情報記録媒体に磁界を印加するヘッド本体を先端に取り付け、他端が固定され、前記ヘッド本体と前記固定された他端との間に弾性変形可能な第１の弾性部を含む支持材と、前記支持材と前記情報記録媒体の間に配置し、前記支持材への当接及び前記支持材からの離間が可能なように固定された磁気ヘッド昇降部材と、弾性変形可能な第２の弾性部を含み、前記情報記録媒体の面と略平行で、前記第２の弾性部側の一端が固定され、前記支持材の両面のうち、前記情報記録媒体と反対側の面と対向するように配置された磁気ヘッド保持部材と、前記磁気ヘッド保持部材に設けられ、前記磁気ヘッド昇降部材と対向するように前記情報記録媒体側に突出した姿勢保持部とを備え、前記ヘッド本体は、前記ヘッド本体が前記情報記録媒体に近接又は接触し記録又は再生を行う第１の位置と、前記ヘッド本体が前記第１の位置に比べ前記情報記録媒体から遠ざかった第２の位置とに移動可能であり、前記第１の位置において、前記姿勢保持部が前記磁気ヘッド昇降部材と当接することを特徴とする。
【発明の効果】
【００２４】
　本発明の磁気ヘッド装置によれば、ヘッド本体から回動中心までの距離が短くなり、ヘッド本体を第２の位置へ移動させるために必要となる磁気ヘッド昇降部材の移動量をより小さくできることに加えて、押え部が弾性部を押圧するので、支持材の上昇量を抑えることができ、装置をより薄型にできる。
【００２５】
　また、第１の位置において、姿勢保持部が磁気ヘッド昇降部材と当接する構成にすれば、第１の位置での磁気ヘッド保持部材の先端の高さが安定する。
【発明を実施するための最良の形態】
【００２６】
　前記本発明の第１の磁気ヘッド装置によれば、磁気ヘッド押さえ部材と支持材の弾性部とが当接した後は、この当接部を回動中心としてヘッド本体、支持材が移動しつつ、磁気ヘッド押さえ部材の押え部が支持材の弾性部を情報記録媒体側に押圧することになる。このことにより、ヘッド本体から回動中心までの距離が短くなり、ヘッド本体を第２の位置へ移動させるために必要となる磁気ヘッド昇降部材の移動量をより小さくできることに加えて、押え部が弾性部を押圧するので、支持材の上昇量を抑えることができ、装置をより薄型にできる。
【００２７】
　前記本発明の第２の磁気ヘッド装置によれば、第１の位置において、姿勢保持部が磁気ヘッド昇降部材と当接するので、第１の位置での磁気ヘッド保持部材の先端の高さが安定する。
【００２８】
　前記本発明の第１の磁気ヘッドにおいては、前記情報記録媒体の面と略平行で一端が固定され、前記支持材の両面のうち、前記情報記録媒体と反対側の面と対向するように配置された磁気ヘッド保持部材をさらに備えており、前記磁気ヘッド押さえ部材は、前記磁気ヘッド保持部材に設けたことが好ましい。この構成によれば、磁気ヘッド押さえ部材を前記支持材近傍に配することができ、磁気ヘッド押さえ部材を小型にでき、磁気ヘッド装置を小型にできる。
【００２９】
　また、前記磁気ヘッド押さえ部材は、前記磁気ヘッド保持部材と弾性変形可能な磁気ヘッド押さえ弾性部を介して結合されていることが好ましい。この構成によれば、第１の位置で磁気ヘッド押さえ部材が自立でき、第１の位置で磁気ヘッド押さえ部材を係止する部材が不要となる。
【００３０】
　また、前記磁気ヘッド押さえ弾性部は、前記支持体の長手方向に略平行に配置された複数の板ばねで構成していることが好ましい。この構成によれば、磁気ヘッド押さえ部材を回動したときの磁気ヘッド押さえ弾性部の内部応力を緩和でき、信頼性が向上する。
【００３１】
　また、前記第２の位置において、前記磁気ヘッド押さえ部材の前記支持体の長手方向における両端のうち、一端が前記情報記録媒体から遠ざかる方向に移動し、かつ前記支持材と当接しており、他端が前記情報記録媒体に近づく方向に移動し、かつ前記支持材の前記弾性部と当接していることが好ましい。この構成によれば、磁気ヘッド押さえ部材専用の昇降部材が不要となり、部品点数の削減が可能となる。
【００３２】
　また、前記第２の位置において、前記磁気ヘッド押さえ部材の前記支持体の長手方向における両端のうち、一端が前記情報記録媒体から遠ざかる方向に移動し、かつ前記磁気ヘッド昇降部材と当接しており、他端が前記情報記録媒体に近づく方向に移動し、かつ前記支持材の前記弾性部と当接していることが好ましい。この構成によれば、磁気ヘッド押さえ部材の移動量が安定し、より確実に支持材弾性部を弾性変形できる。
【００３３】
　また、前記支持材の前記支持材弾性部と前記ヘッド本体との間に支持材穴部を備えており、前記磁気ヘッド押さえ部材の一端の前記磁気ヘッド昇降部材への当接は、前記磁気ヘッド押さえ部材の一端が前記支持材穴部を貫通してされていることが好ましい。この構成によれば、情報記録媒体のより大きな面振れにも追従できる。
【００３４】
　前記本発明の第２の磁気ヘッド装置においては、前記姿勢保持部及び前記磁気ヘッド昇降部材のうちの少なくともいずれかは前記情報記録媒体の面と略平行な平面部を備えており、前記第１の位置において前記平面部と前記姿勢保持部又は前記磁気ヘッド昇降部材とが当接することが好ましい。この構成によれば、磁気ヘッド昇降部材と磁気ヘッド保持部材の位置誤差が生じても、前記磁気ヘッド保持部材の先端高さが変化しないので、各部品の寸法誤差許容量を大きくできる。
【００３５】
　また、前記磁気ヘッド昇降部材は、前記情報記録媒体の面と略平行かつ前記支持材の長手方向と略直交する軸を中心に回動し、前記第１の位置において、前記中心よりも前記磁気ヘッド保持部材の前記固定された一端側で、前記姿勢保持部が前記磁気ヘッド昇降部材と当接することが好ましい。この構成によれば、第２の位置で前記磁気ヘッド保持部材の先端高さを低くでき、装置をより薄型にできる。
【００３６】
　また、前記磁気ヘッド保持部材に磁気ヘッド押さえ部材が設けられており、前記ヘッド本体が第１の位置から第２の位置へ移動する間に、前記磁気ヘッド押さえ部材の一端が前記支持材又は前記磁気ヘッド昇降部材と当接し、かつ前記情報記録媒体から離れる方向へ移動し、前記磁気ヘッド押さえ部材の他端は、前記支持材に近づき前記第１の弾性部と当接し、前記第２の位置において、前記第１の弾性部を前記情報記録媒体側に弾性変形させ、前記第２の位置では前記姿勢保持部は、前記磁気ヘッド昇降部材から離間することが好ましい。この構成によれば、第２の位置で磁気ヘッド押さえ部材の一端と磁気ヘッド昇降部材を確実に当接できる。
【００３７】
　また、前記磁気ヘッド昇降部材は、前記情報記録媒体側へ凹んだ凹部、貫通孔又は切り欠きが形成された退避部が形成されており、前記情報記録媒体を傾斜させ、前記情報記録媒体の着脱を行う位置を第３の位置とすると、前記第３の位置では、前記姿勢保持部は前記退避部に退避することが好ましい。この構成によれば、第３の位置での磁気ヘッド保持弾性部の変形量を小さくでき、磁気ヘッド保持弾性部の内部応力を小さくでき、機器の信頼性が向上する。
【００３８】
　また、前記ヘッド本体が、前記第１の位置から前記第２の位置へ移動する間に、前記磁気ヘッド昇降部材は前記支持材の長手方向に移動し、前記姿勢保持部と前記磁気ヘッド昇降部材とが離間することが好ましい。この構成によれば、磁気ヘッド本体を情報記録媒体からより確実に離間でき、機器の信頼性がさらに向上する。
【００３９】
　以下、本発明の実施の形態について、図面を用いて説明する。なお、図４４〜図４７に示した従来例と同じ機能を有する構成部品には同じ符号を付記しその詳細な説明は省略する。
【００４０】
　また、以下の説明において、第１の位置とは、ヘッド本体（図３の例では符号５）が情報記録媒体（図３の例では符号１）に近接又は接触し記録又は再生を行う位置のことであり、第２の位置とは、ヘッド本体が第１の位置に比べ情報記録媒体から遠ざかった位置のことである。
【００４１】
　（実施の形態１）
　図１は本発明の実施の形態１における磁気ヘッド装置の平面図であり、図２は図１の磁気ヘッド装置の要部平面図である。図３は図１の磁気ヘッド装置の第１の位置でのＸ−Ｘ断面側面図であり、図４は図１の磁気ヘッド装置の第２の位置でのＸ−Ｘ断面側面図である。
【００４２】
　図１〜図４において、６は支持材であり、例えばＳＵＳ３０４やＢｅＣｕなどの薄いバネ材でできている。本実施の形態では、支持材６は一端を固定材７に固定されている。支持材６は、弾性変形可能な弾性部である第１のバネ系１０と、剛体部である中継部９と、第２の弾性変形可能な弾性部である第２のバネ系８とを備えた例を示している。
【００４３】
　第１のバネ系１０は、情報記録媒体である光磁気ディスク１の面振れに追従し、かつ全体の荷重を与えるためのものである。中継部９は、カートリッジ２と干渉しないための所定角度で傾斜して第１のバネ系１０より延長し、かつ絞り出しで形成した絞りリブ１１を具備することで剛体を形成している。第２のバネ系８は、中継部９に対して所定の角度をなして中継部９から延長し、光磁気ディスク１の面振れ、表面形状に追従するためのものである。
【００４４】
　固定材７は、例えば鉄、ステンレスなどの金属板からなり、支持材６の一端を固定している。また、締結部材１９とシャフト１８を介して回動自在に取り付けられており、ばね５０で光磁気ディスク１側へ付勢されている。締結部材１９は、磁気ヘッド４と光学ヘッドとを締結するものであり、光学ヘッドは光磁気ディスク１を挟んで磁気ヘッド４と対峙して配置されている。
【００４５】
　ヘッド本体５は、例えば図４７に示すようにＥ型でフェライト等の軟磁性体からなる磁気コア１３の中心磁極に、巻回したコイル１４を装着してなる磁気ヘッド素子１５を形成し、Ｅ型の磁気コア１３の解放端を光磁気ディスク１と対向させて、この磁気ヘッド素子１５を摺動性の良い樹脂、例えばポリフェニレンサルファイド、液晶ポリマーなどでてきた摺動体１６に一体に取り付けて形成される。
【００４６】
　１７は摺動部であり、摺動体１６の光磁気ディスク１と対向する面に一体に形成し、その断面（装填された光磁気ディスク１に垂直な方向の断面）を円弧状とすることで、光磁気ディスク１と常に点接触でなめらかに接触摺動を行う。
【００４７】
　３はヘッド本体に変調信号を伝送するための配線が施されたフレキシブルプリント基板であり、支持材６に例えば両面テープ（図示せず）で貼り付けられている。そして、フレキシブルプリント基板３の一端はコイル１４の引き出し線の両端に半田付けされ、他端は図示しない磁気ヘッドの駆動回路へ接続される。
【００４８】
　ヘッド本体５は、支持材６の揺動端側と融着または接着によって固定又は樹脂一体成形によって一体に形成する。また、支持材６はその一端（固定材７側の端部）を固定材７にレーザースポット溶接や電気スポット溶接などで固定する。
【００４９】
　６１は磁気ヘッド押さえ部材であり、例えばステンレスや鉄、樹脂などで構成され、固定材７に磁気ヘッド押さえ回動軸６２を介して回動自在に取り付けられている。磁気ヘッド押さえ部材６１は、一端に第１のバネ系１０の上部に位置する押さえ部６３と、他端は磁気ヘッド押え昇降メカ６５に係止された移動部６４とを有する。押さえ部６３は、第１のバネ系１０の上部に位置するので、支持材６の両面のうち、光磁気ディスク１と反対側の面と対向していることになる。
【００５０】
　磁気ヘッド押さえ昇降メカ６５は、例えばステンレスや鉄、樹脂などで構成され、カートリッジ２を保持するホルダ２３と昇降回動軸６６を介して回動自在に取り付けられている。
【００５１】
　２０は磁気ヘッド昇降部材であり、例えばステンレスや鉄、樹脂などで構成され、カートリッジ２を保持するホルダ２３と昇降回動軸２６を介して回動自在に取り付けられている。
【００５２】
　２４はスライド部材であり、例えばステンレスや鉄、樹脂などで構成され、ホルダ２３に対してＹ軸方向（支持材６の長手方向）へスライド移動可能に取り付けられ、モータ、ギヤなどで構成された昇降駆動部２５によってスライド移動する。スライド部材２４と磁気ヘッド昇降部材２０とは、カム機構２４ａを介して当接しており、スライド部材２４と磁気ヘッド押さえ昇降メカ６５とは、カム機構２４ｂを介して当接している。
【００５３】
　スライド部材２４が図１の矢印ａの方向へ移動すると、磁気ヘッド昇降部材２０は、カム機構２４ａによって持ち上げられ、図３に示した状態から時計回りに回動し支持材６の下側から支持材６に近づくことになる。この回動が進行すると、図４に示したように、磁気ヘッド昇降部材２０は、支持材６を下側から押圧することになる。
【００５４】
　これと同時に、磁気ヘッド押さえ昇降メカ６５は、カム機構２４ｂによって持ち上げられ、図３に示した状態から回動軸６６を中心として時計回りに回動する。このことにより、磁気ヘッド押さえ昇降メカ６５は、磁気ヘッド押さえ部材６１を持ち上げ、磁気ヘッド押さえ部材６１は磁気ヘッド押さえ回動軸６２を中心に反時計回りに回動することになる。この回動により、押さえ部６３は上側から第１のバネ系１０に近づき、図４に示したように、押さえ部６３は第１のバネ系１０を押圧することになる。
【００５５】
　すなわち、図４の状態では、磁気ヘッド昇降部材２０が支持材６を下側から押圧しつつ、押さえ部６３が上側から第１のバネ系１０を押圧していることになる。
【００５６】
　また、スライド部材２４が図１の矢印ｂの方向へ移動すると磁気ヘッド昇降部材２０が図４に示した状態から反時計回りに回動し支持材６から離間する。そして、磁気ヘッド押さえ昇降メカ６５も同時に図４に示した状態から反時計回りに回動することで磁気ヘッド押さえ部材６１が時計回りに回動し、押さえ部６３は第１のバネ系１０から離間し、図３に示した状態となる。
【００５７】
　支持材６の第１の位置（記録位置）では、図３に示すように、磁気ヘッド昇降部材２０と磁気ヘッド押さえ部材６１は共に支持材６に当接しておらず、磁気ヘッド４と隙間を有して配置されている。
【００５８】
　第１の位置において、カートリッジ２の上面から最も突出している（または最も離れている）部分は固定材７であり、磁気ヘッド４の厚さは、カートリッジ２の上面から固定材７の上面までの高さＨ３で規定される。
【００５９】
　前記のように、支持材６の第１の位置から第２の位置（再生位置）への移動では図３に示すように、磁気ヘッド昇降部材２０が昇降回動軸２６を中心に時計回りに回動する間で、磁気ヘッド昇降部材２０が中継部９と当接し支持材６及びヘッド本体５を押し上げて光磁気ディスク１から離間させる共に、磁気ヘッド押さえ部材６１が反時計回りに回動し、押さえ部６３が第１のバネ系１０に当接する。
【００６０】
　これによりヘッド本体５を光磁気ディスク１から離間させる回動中心が、図４に示したように、第１のバネ系１０の固定材７側の端部（Ｐ１）から、第１のバネ系１０の長手方向中間部付近（Ｐ２）に移動する。
【００６１】
　そして更に磁気ヘッド昇降部材２０と磁気ヘッド押さえ部材６１とを回動することで第１のバネ系１０は押さえ部６３の押圧によって弾性変形（湾曲）すると共に、磁気ヘッド昇降部材２０によって中継部９が上昇し、ヘッド本体５とカートリッジ２との隙間Ｈ２を確保する第２の位置に磁気ヘッド４を保持する。
【００６２】
　このように、本実施の形態では、支持材６の回動中心がＰ１からＰ２に移動して、支持材６の回動中心と、支持材６と磁気ヘッド昇降部材２０との当接位置との間の距離が短くなることに加え、磁気ヘッド押さえ部材６１の押圧により、第１のバネ系１０をカートリッジ２側に積極的に弾性変形させることになる。
【００６３】
　このことにより、本実施の形態では、上昇後における磁気ヘッド昇降部材２０の高さＨ４（図４）を、図４６に示したような従来のものよりも小さくしながらも、ヘッド本体５とカートリッジ２との間の隙間Ｈ２を確保することができる。このため、光磁気記録再生装置をより薄型にすることができる。
【００６４】
　本実施の形態の図４と、従来例の図４６とを比較してみると、支持材６のカートリッジ２からの最大高さＨ１は、従来例の図４６では固定材７の高さＨ３より大きいのに対して、本実施の形態の図４ではＨ１は固定材７と同一高さにまで抑えられている。
【００６５】
　また、磁気ヘッド押さえ部材６１が固定材７に取り付けられているため、薄板からなる支持材６と共に光磁気ディスク１の半径方向への移動ができる。よって、支持材６を塑性変形することがなく、磁気ヘッド装置の信頼性が向上する。
【００６６】
　なお、本実施の形態では磁気ヘッド昇降部材２０を回動し支持材６への当接を行ったが、図１〜図３に示すＸ方向へスライド移動させ、支持材６への当接を行っても同様な効果が得られる。
【００６７】
　また、本実施の形態では第１のバネ系１０と中継部９と第２のバネ系８を有する磁気ヘッド４について説明したが、支持材６が第１のバネ系と中継部で構成され、前記中継部の先端にヘッド本体５が固定されている磁気ヘッドにおいても同様な効果が得られることは言うまでもない。
【００６８】
　また、本実施の形態では光磁気ディスク装置について説明したが、フレキシブルディスク装置に代表される磁気ディスク装置においても、同様な効果が得られることは言うまでもない。このことは、以下の実施の形態についても同様である。この場合、第１の位置は記録のみならず再生も行い、第２の位置ではディスクから磁気ヘッドが退避する構成となる。
【００６９】
　（実施の形態２）
　以下、図５〜図９を用いて実施の形態２に係る磁気ヘッド装置について説明する。図５は本発明の実施の形態２における磁気ヘッド装置の平面図であり、図６は図５の磁気ヘッド装置の要部平面図である。
【００７０】
　図７は図５の磁気ヘッド装置の第１の位置でのＸ−Ｘ断面側面図であり、図８は図５の磁気ヘッド装置の第２の位置でのＸ−Ｘ断面側面図である。図９Ａは図５の磁気ヘッド装置の第１の位置でのＸ−Ｘ要部断面側面図であり、図９Ｂは第２の位置でのＸ−Ｘ要部断面側面図である。
【００７１】
　実施の形態２の磁気ヘッド装置は、図５、６に示したように、固定材７７から光磁気ディスク１と略平行にヘッド本体５側に延長した磁気ヘッド保持部材７５を設けている。磁気ヘッド保持部材７５のヘッド本体５側には、磁気ヘッド押さえ部材７１が配置されている。
【００７２】
　磁気ヘッド押さえ部材７１は、ねじれ作用をするヒンジ形の磁気ヘッド押さえ弾性部７２が一体に形成されている。磁気ヘッド押さえ弾性部７２の外側には、磁気ヘッド押さえ弾性部７２より幅を大きくした両端部７４ａが形成されている。両端部７４ａが、レーザスポット溶接や電気溶接などで磁気ヘッド保持部材７５に接合されて、磁気ヘッド押さえ部材７１は、磁気ヘッド保持部材７５を介して固定材７７に固定されている。
【００７３】
　磁気ヘッド押さえ弾性部７２を介して、磁気ヘッド保持部材７５に取り付けられた磁気ヘッド押さえ部材７１は、本実施の形態では中抜き形状の「ロ」の字状であり、再生時において第１のバネ系１０と当接する部分（押さえ部７３）、中継部９と当接する部分（移動部７４）を有するものを例に説明を行う。
【００７４】
　支持材６の第１の位置では、図９Ａに示すように磁気ヘッド昇降部材７０、磁気ヘッド押さえ部材７１共に支持材６と接触しないように配置されている。第１の位置から第２の位置への移動では、磁気ヘッド昇降部材７０が昇降回動軸２６を中心に図９Ａに示した状態から時計回りに回動する。
【００７５】
　この回動により、磁気ヘッド昇降部材７０が光磁気ディスク１から離間する方向へ移動（上昇）し中継部９と当接する。磁気ヘッド昇降部材７０が更に上昇すると、中継部９は磁気ヘッド押さえ部材７１の移動部７４に近づき当接する。さらに磁気ヘッド昇降部材７０が上昇すると、磁気ヘッド押さえ部材７１は図９Ａの状態から図９Ｂの状態へと時計回りに回動することになる。
【００７６】
　より具体的には、押さえ部７３が光磁気ディスク１に近づき（下降）、第１のバネ系１０と当接し、磁気ヘッド昇降部材７０が更に上昇すると、移動部７４に力が付与されることになる。
【００７７】
　このことにより、ヒンジ形をした磁気ヘッド押さえ弾性部７２がねじれにより弾性変形し、磁気ヘッド押さえ部材７１が傾き、押さえ部７３は下降し、第１のバネ系１０に接触する。このため、第１のバネ系１０をより積極的に弾性変形させ、ヘッド本体５とカートリッジ２との隙間Ｈ２（図８）を確保し、磁気ヘッドを第２の位置で保持する。
【００７８】
　すなわち、高さＨ１（図８）を小さくしながらも、隙間Ｈ２を確保することができ、光磁気記録再生装置をより薄型にすることができることは、前記実施の形態１と同様である。
【００７９】
　さらに本実施の形態においては、磁気ヘッド押さえ部材７１は、固定材７７を延長させた磁気ヘッド保持部材７５に固定するので、磁気ヘッド押さえ部材７１の固定のために、磁気ヘッド押さえ部材７１を固定材７７まで延長させる必要はなく、磁気ヘッド押さえ部材７１を小型にできる。また、図９Ａに示したように、磁気ヘッド保持部材７５を固定材７７に比べ、下側（ディスク１側）に変位させておけば、磁気ヘッド押さえ部材７１の高さ方向の位置を固定材７７よりも低くすることができ、磁気ヘッド装置を小型化できる。
【００８０】
　そして、移動部７４と当接した中継部９を磁気ヘッド昇降部材７０が持ち上げることにより、磁気ヘッド押さえ部材７１が回動するので、実施の形態１のような専用の磁気ヘッド押さえ昇降メカを不要とすることができる。
【００８１】
　また、磁気ヘッド押さえ部材７１を磁気ヘッド押さえ弾性部７２を介して磁気ヘッド保持部材７５に取り付けたことで、磁気ヘッド４の第１の位置において磁気ヘッド押さえ部材７１が自立し、第１の位置での支持材６との隙間を確実に確保できる。このため、第１の位置で磁気ヘッド押さえ部材７１を係止する部材が不要となり部品点数を削減できる。
【００８２】
　（実施の形態３）
　以下、図１０〜図１４を用いて実施の形態３に係る磁気ヘッド装置について説明する。図１０は、本発明の実施の形態３における磁気ヘッド装置の平面図である。図１１は、図１０の磁気ヘッド装置の要部平面図である。
【００８３】
　図１２は、図１０の磁気ヘッド装置の第１の位置でのＸ−Ｘ断面側面図であり、図１３は、図１０の磁気ヘッド装置の第２の位置でのＸ−Ｘ断面側面図である。
【００８４】
　図１４Ａは図１０の磁気ヘッド装置の第１の位置のＸ−Ｘ要部断面側面図であり、図１４Ｂは第２の位置のＸ−Ｘ要部断面側面図である。
【００８５】
　図１５は磁気ヘッド押さえ弾性部をヒンジ型のバネで形成した場合の応力を示す図であり、図１６は本実施の形態の磁気ヘッド押さえ弾性部の応力を示す図である。
【００８６】
　実施の形態３の磁気ヘッド装置は、磁気ヘッド押さえ弾性部８２が実施の形態２のようにヒンジ形ではなく、装填した光磁気ディスク１と略平行で、支持体６の長手方向に平行な２本の板バネで形成したことを特徴とする。
【００８７】
　実施の形態３は実施の形態２に比べ、磁気ヘッド押さえ弾性部の構成が異なっているが、基本的な構成、作用効果は実施の形態２と同様であり、実施の形態３と異なる部分を中心に以下説明する。
【００８８】
　磁気ヘッド押さえ弾性部８２は、ステンレスやリン青銅、プラスチックなどからなり磁気ヘッド押さえ部材８１と一体に形成され、端部を磁気ヘッド保持部材８５にレーザースポット溶接や電気溶接などの方法で固着されている。
【００８９】
　支持材６は通常厚さ０．０４ｍｍから０．０８ｍｍ程度のステンレスやリン青銅などで形成される。磁気ヘッド押さえ部材８１は第２の位置で第１のバネ系１０を弾性変形させるため、その板厚は支持材６よりも厚くする必要がある。
【００９０】
　本実施の形態のような磁気ヘッド押さえ部材８１は、押さえ部８３においてｚ方向に０．２ｍｍから１ｍｍ程度移動する必要があり、変位の増加による発生する応力の増加を抑える必要がある。
【００９１】
　前記実施の形態２のような、ヒンジ型の磁気ヘッド押さえ弾性部８２によれば、構造は簡単にできるが、変位の増加により発生する応力の増加も大きくなる。このことを図１５に示している。
【００９２】
　図１５は、図６に示したようなヒンジ型の磁気ヘッド押さえ弾性部８２における変位と応力の関係を示した図である。横軸ｈ（ｍｍ）は押え部７３の変位を、縦軸σ（Ｎ／ｍｍ2）は磁気ヘッド押さえ弾性部７２に発生する応力を示している。
【００９３】
　線３００は、変位ｈと応力σとの関係を示しており、線３０１は、磁気ヘッド押さえ弾性部８２に用いた材料であるＳＵＳ３０１−ＥＨのばね限界値（５８８Ｎ／ｍｍ2）を示している。磁気ヘッド押さえ弾性部７２の大きさは、板厚を０．１ｍｍ、ヒンジ部のｙ方向最小幅を０．１ｍｍとした。
【００９４】
　図１０から分るように、ｈ＝０．２ｍｍで、材料のバネ限界値に達しており、この実施例の場合は、押え部７３の変位ｈが０．２ｍｍを超えない範囲で設定する必要がある。
【００９５】
　一方、本実施の形態に示す磁気ヘッド押さえ弾性部８２は、板バネとしたのでバネの有効長を長くすることができ、押さえ部８３の変位に対して応力の増加を抑制できる。
【００９６】
　図１６は、図１１に示したような板ばね型の構成における変位と応力の関係を示した図である。横軸ｈ（ｍｍ）は押え部８３の変位を、縦軸σ（Ｎ／ｍｍ2）は磁気ヘッド押さえ弾性部８２に発生する応力を示している。
【００９７】
　線３０２は、変位ｈと応力σとの関係を示しており、線３０３は、磁気ヘッド押さえ弾性部８２に用いた材料であるＳＵＳ３０１−ＥＨのばね限界値（５８８Ｎ／ｍｍ2）を示している。磁気ヘッド押さえ弾性部８２の大きさは、板厚を０．１ｍｍ、ばねのｘ方向幅を０．３ｍｍ、ばね有効長を７ｍｍとした。
【００９８】
　図１６から分るように、ｈ＝１ｍｍにおいても、材料のバネ限界値を下回っており、本実施の形態は、押え部７３の変位ｈを大きくしても、発生する応力を小さくでき、磁気ヘッド装置の信頼性を向上できる。
【００９９】
　なお、板ばねは、平行な２本の板ばねの例で説明したが、３本以上の複数の板ばねであってもよい。
【０１００】
　（実施の形態４）
　以下、図１７〜図２１を用いて実施の形態４に係る磁気ヘッド装置について説明する。図１７は本発明の実施の形態４における磁気ヘッド装置の平面図であり、図１８は図１７の磁気ヘッド装置の要部平面図である。
【０１０１】
　図１９は図１７の磁気ヘッド装置の第１の位置でのＸ−Ｘ断面側面図であり、図２０は図１７の磁気ヘッド装置の第２の位置でのＸ−Ｘ断面側面図である。図２１Ａは図１７の磁気ヘッド装置の第１の位置でのＸ−Ｘ要部断面側面図であり、図２１Ｂは第２の位置でのＸ−Ｘ要部断面側面図である。
【０１０２】
　実施の形態４の磁気ヘッド装置は、第１の位置から第２の位置への移動において、移動部９４と磁気ヘッド昇降部材９０とが当接し、磁気ヘッド押さえ部材９１を回動するように構成したことを特徴とする。
【０１０３】
　実施の形態４は実施の形態２、３に比べ、磁気ヘッド押さえ部材の構成が異なっているが、基本的な構成、作用効果は実施の形態２、３と同様であり、実施の形態２、３と異なる部分を中心に以下説明する。
【０１０４】
　図１８に示したように、磁気ヘッド押さえ部材９１の先端部９１ａは、ｘ方向に延びており、ｘ方向の幅は支持体６の中継部９の幅より大きくなっている。先端部９１ａの両端に移動部９４が形成されており、移動部９４は、磁気ヘッド昇降部材９０側に凸になった突起部である。
【０１０５】
　第１の位置（図１９、２１Ａ）から第２の位置（図２０、２１Ｂ）への移動では、磁気ヘッド昇降部材９０が時計回りに回動し、磁気ヘッド昇降部材９０は移動部９４と当接し、第２の位置でも当接し続ける。
【０１０６】
　前記のように、移動部９４は、先端部９１ａの両端に、支持体６を避けるように形成されているので、図２０、２１Ｂに示したように、磁気ヘッド昇降部材９０が支持体６に当接した場合でも、移動部９４は磁気ヘッド昇降部材９０に直接当接するので、移動部９４が支持体６に当接することはない。
【０１０７】
　磁気ヘッド昇降部材９０は、通常厚さ０．３ｍｍから０．６ｍｍ程度のステンレスや鉄でできており、支持材６と比較して十分な剛性を有する。よって、第２の位置での移動部９４の位置精度は、支持材６に移動部９４が直接当接する構成と比較すると格段に向上する。
【０１０８】
　（実施の形態５）
　以下、図２２〜図２６を用いて実施の形態５に係る磁気ヘッド装置について説明する。図２２は本発明の実施の形態５における磁気ヘッド装置の平面図であり、図２３は図２２の磁気ヘッド昇降装置の要部平面図である。
【０１０９】
　図２４は図２２の磁気ヘッド装置の第１の位置でのＸ−Ｘ断面側面図であり、図２５は図２２の磁気ヘッド装置の第２の位置でのＸ−Ｘ断面側面図である。図２６Ａは図２２の磁気ヘッド装置の第１の位置でのＸ−Ｘ要部断面側面図であり、図２６Ｂは第２の位置でのＸ−Ｘ要部断面側面図である。
【０１１０】
　実施の形態５の磁気ヘッド装置は、支持材１０６の中継部１０９付近に支持材穴部５１を設け、第１の位置から第２の位置への移動において、移動部１０４が支持材穴部５１を貫通し磁気ヘッド昇降部材１００と当接し、磁気ヘッド押さえ部材１０１を回動するように構成したことを特徴とする。
【０１１１】
　実施の形態５は実施の形態４に比べ、磁気ヘッド押さえ部材の構成が異なっているが、基本的な構成、作用効果は実施の形態４と同様であり、実施の形態４と異なる部分を中心に以下説明する。
【０１１２】
　図２３、２４に示したように、支持材１０６は、第１のバネ系１０と第２のバネ系８との間にｘ方向の両側に立ち壁１０７を設けて剛体としての中継部１０９を成している。中継部１０９には支持材穴部５１が設けられており、支持材穴部５１の上部に移動部１０４が位置するように磁気ヘッド押さえ部材１０１は配置されている。
【０１１３】
　第１の位置（図２４、図２６Ａ）では光磁気ディスク１の面振れにヘッド本体５を追従させるため、支持材１０６はｚ方向に上下する。中継部１０９がｚ方向で光磁気ディスク１から離れる側へ移動しても、移動部１０４は支持材穴部５１に入り退避するので、支持材１０６の動きを妨げない。このため、ヘッド本体５は、光磁気ディスク１のより大きな面振れにも追従できることになる。
【０１１４】
　また、第１の位置から第２の位置（図２５、図２６Ｂ）への移動では、移動部１０４は支持材穴部５１を通して磁気ヘッド昇降部材１００と当接する。
【０１１５】
　（実施の形態６）
　以下、図２７〜図３０を用いて実施の形態６に係る磁気ヘッド装置について説明する。図２７は、本発明の実施の形態６における磁気ヘッド装置の平面図である。図２８は図２７の磁気ヘッド装置の第１の位置でのＸ−Ｘ断面側面図であり、図２９は図２７の磁気ヘッド装置の第２の位置でのＸ−Ｘ断面側面図である。図３０Ａは図２７の磁気ヘッド装置の第１の位置でのＸ−Ｘ要部断面側面図であり、図３０Ｂは第２の位置でのＸ−Ｘ要部断面側面図である。
【０１１６】
　実施の形態６の磁気ヘッド装置は、固定材５４と磁気ヘッド保持部材５３との間に磁気ヘッド保持弾性部５２を設け、磁気ヘッド保持部材５３の中間付近にｚ方向で光磁気ディスク１側に突出した姿勢保持部５６を設け、第１の位置では、姿勢保持部５６を磁気ヘッド昇降部材５７と当接するように構成したことを特徴とする。
【０１１７】
　磁気ヘッド保持部材５３、磁気ヘッド保持弾性部５２、固定材５４、姿勢保持部５６は一体に形成されており、板厚は０．０５ｍｍから０．２ｍｍ程度のステンレス、リン青銅などからできている。
【０１１８】
　固定材５４は支持材５５の一端をレーザースポット溶接や電気溶接などの方法で固着したのち、締結部材５８にねじ１２７で固定される。
【０１１９】
　磁気ヘッド保持部材５３は絞り５３ａによって剛体となり、ｙ方向はヘッド本体５の上部まで延びている。
【０１２０】
　図２８、３０Ａに示したように、第１の位置では、姿勢保持部５６が磁気ヘッド昇降部材５７と当接している。このことにより、磁気ヘッド保持弾性部５２は、磁気ヘッド昇降部材５７に光磁気ディスク１の方向へ圧力をかけている。
【０１２１】
　ヘッド本体５の第１の位置（図２８、３０Ａ）図から第２の位置（図２９、３０Ｂ）への移動において、磁気ヘッド昇降部材５７が時計回りに回動し、中継部５９と当接した後、さらに磁気ヘッド昇降部材５７が、回動軸１２６を中心として時計回りに回動することにより、ヘッド本体５は光磁気ディスク１から離間する。ヘッド本体５が第２の位置へ近づく方向に移動すると、ヘッド本体５は、その先端が光磁気ディスク１からより遠ざかるように傾斜した状態で、磁気ヘッド保持部材５３と当接する。
【０１２２】
　そして、さらに磁気ヘッド昇降部材５７によって中継部５９が持ち上げられると、図２９に示したように、ヘッド本体５は磁気ヘッド保持部材５３にならい、水平な姿勢となる。
【０１２３】
　以上のように、実施の形態６の磁気ヘッド装置によれば、固定材５４と磁気ヘッド保持部材５３との間に磁気ヘッド保持弾性部５２を設け、磁気ヘッド保持部材５３の中間付近にｚ方向で光磁気ディスク１側に突出した姿勢保持部５６を設け、第１の位置では、姿勢保持部５６を磁気ヘッド昇降部材５７と当接することで、締結部材５８に対して付勢するばねを不要とし、部品点数の削減ができる。
【０１２４】
　また、図２９に示したように、第２の位置でヘッド本体５が磁気ヘッド保持部材５３に当接することで、ヘッド本体を水平に位置規制することができ、磁気ヘッド装置を薄型にできる。
【０１２５】
　（実施の形態７）
　以下、図３１〜図３５を用いて実施の形態７に係る磁気ヘッド装置について説明する。図３１は本発明の実施の形態７における磁気ヘッド装置の平面図であり、図３２は図３１の磁気ヘッド装置の要部平面図である。図３３は図３１の磁気ヘッド装置の第１の位置でのＸ−Ｘ断面側面図であり、図３４は図３１の磁気ヘッド装置の第２の位置でのＸ−Ｘ断面側面図である。図３５Ａは図３１の磁気ヘッド装置の第１の位置でのＸ−Ｘ要部断面側面図であり、図３５Ｂは第２の位置でのＸ−Ｘ要部断面側面図である。
【０１２６】
　実施の形態７の磁気ヘッド装置は、磁気ヘッド昇降部材１１０に、第１の位置で光磁気ディスク１と略平行となる平面部１１１を磁気ヘッド昇降回動軸１１６の中心よりも固定材５４側に設け、第１の位置では、姿勢保持部１１２が平面部１１１と当接するように構成したことを特徴とする。
【０１２７】
　さらに、磁気ヘッド保持部材１１３に磁気ヘッド押さえ弾性部１１４と磁気ヘッド押さえ部材１１５を一体に形成した点である。
【０１２８】
　磁気ヘッド昇降部材１１０は、第１の位置で光磁気ディスクと略平行となる平面部１１１を磁気ヘッド昇降回動軸１１６の中心よりも固定材５４側に設けられている。図３１、３２に示したように、磁気ヘッド保持部材１１３は磁気ヘッド押さえ弾性部１１４と磁気ヘッド押さえ部材１１５を一体に形成している。図３３、３５Ａに示したように、第１の位置では、姿勢保持部１１２が平面部１１１と当接し、磁気ヘッド押さえ部材１１５が支持材１１７と隙間を空けて配置できるようになっている。
【０１２９】
　ヘッド本体５が第１の位置から第２の位置へ移動する場合、磁気ヘッド昇降部材１１０が磁気ヘッド昇降回動軸１１６を中心に時計回りに回動し、図３４、３５Ｂに示したように、中継部１１８と当接する。このとき、平面部１１１は光磁気ディスク１側へ移動し、姿勢保持部１１２から離間する。これは、平面部１１１と姿勢保持部１１２との当接位置が磁気ヘッド昇降回動軸１１６の中心よりも固定材５４側にあるので、磁気ヘッド昇降部材１１０の時計回りの回動により、平面部１１１が姿勢保持部１１２から遠ざかるように移動するためである。
【０１３０】
　磁気ヘッド昇降部材１１０の回動が進行すると、磁気ヘッド昇降部材１１０のうち、支持材１１７の長手方向において、平面部１１１と反対側の部分が移動部８４と当接し、磁気ヘッド押さえ部材１１５を時計回りに回動させる。これにより押さえ部８３が第１のバネ系１０と当接し弾性変形する。
【０１３１】
　このとき、姿勢保持部１１２が磁気ヘッド昇降部材１１０から離間しているため、磁気ヘッド押さえ弾性部１１４による付勢力は磁気ヘッド押さえ部材１１５に十分に伝わることになる。
【０１３２】
　これは、姿勢保持部１１２を介して磁気ヘッド昇降部材１１０に、磁気ヘッド保持弾性部５２の付勢力が加わっていた状態から、移動部８４を介して磁気ヘッド昇降部材１１０に、磁気ヘッド保持弾性部５２の付勢力が加わる状態に変化するためである。
【０１３３】
　このことにより、第２の位置で磁気ヘッド保持部材１１３の先端がｚ軸方向で光磁気ディスク１から離間する側に移動しないことになり、再生時における第２の位置での磁気ヘッド高さを小さくできるので、光磁気記録再生装置をより薄型にできる。
【０１３４】
　なお、本実施の形態では磁気ヘッド昇降部材１１０に平面部１１１を設け、第１の位置において、姿勢保持部１１２と平面部１１１とが当接するような構成としたが、これに限定される必要はなく、姿勢保持部１１２と磁気ヘッド昇降部材１１０とのうちの少なくともいずれか一方に平面部を設け、第１の位置において、姿勢保持部１１２または磁気ヘッド昇降部材１１０と平面部とが当接するような構成としてもよい。
【０１３５】
　（実施の形態８）
　以下、図３６〜図４０を用いて実施の形態８に係る磁気ヘッド装置について説明する。以下の説明において、第３の位置とは、情報記録媒体である光磁気ディスク１およびカートリッジ２を光磁気ディスク装置から着脱する位置である。
【０１３６】
　図３６は本発明の実施の形態８における磁気ヘッド装置の平面図である。図３７は図３６の磁気ヘッド装置の第１の位置でのＸ−Ｘ断面側面図であり、図３８は図３６の磁気ヘッド装置の第２の位置でのＸ−Ｘ断面側面図であり、図３９は図３６の磁気ヘッド装置の第３の位置でのＸ−Ｘ断面側面図である。
【０１３７】
　図４０Ａは図３６の磁気ヘッド装置の第１の位置でのＸ−Ｘ要部断面側面図であり、図４０Ｂは第２の位置でのＸ−Ｘ要部断面側面図であり、図４０Ｃは第３の位置でのＸ−Ｘ要部断面側面図である。
【０１３８】
　実施の形態８の磁気ヘッド装置は、磁気ヘッド昇降部材１３０に、退避穴部１３１を備え、光磁気ディスク１およびカートリッジ２を光磁気ディスク装置から着脱する磁気ヘッドの第３の位置では、光磁気ディスク１側に突出した保持部１３２が退避穴部１３１に入るように構成したことを特徴とする。
【０１３９】
　実施の形態８は実施の形態７に比べ、第３の位置における構成が異なっているが、第１、第２の位置における基本的な構成、作用効果は実施の形態７と同様であり、実施の形態７と異なる部分を中心に以下説明する。
【０１４０】
　図３６に示したように、支持材１３６の長手方向についてみると、退避穴部１３１は姿勢保持部１３２の近傍に配置されるように、磁気ヘッド昇降部材１３０に設けられている。より具体的には、図４０Ａ、４０Ｂに示したように、姿勢保持部１３２は、退避穴部１３１に隣接した平面部１３４に対向している。詳細は後に説明するが、第３の位置（図４０Ｃ）においては、この位置関係は変化することになる。
【０１４１】
　図３７、４０Ａに示したように、第１の位置では、姿勢保持部１３２が平面部１３４と当接し、磁気ヘッド押さえ部材１３５が支持材１３６と隙間を空けて配置できるようになっている。
【０１４２】
　第１の位置（図４０Ａ）から第２の位置（図４０Ｂ）への移動では、磁気ヘッド昇降部材１３０が磁気ヘッド昇降回動軸１３７を中心に時計回りに回動し、中継部１３８と当接する。このとき、平面部１３４は光磁気ディスク１側へ移動し、姿勢保持部１３２から離間する。このとき更に、磁気ヘッド昇降部材１３０は、支持材穴部５１を介して移動部１３９と当接し、磁気ヘッド押さえ部材１３５を時計回りに回動する。これにより、図３７に示したように、押さえ部１４０が第１のバネ系１０と当接し、第１のバネ系１０は弾性変形する。
【０１４３】
　第２の位置から光磁気ディスク１およびカートリッジ２の着脱を行う第３の位置（図３９、図４０Ｃ）への移動では、カートリッジ２の下面３０４付近で締結部材１４１の近傍のｘ軸を回動軸としホルダ２３が時計回りに回動する。
【０１４４】
　磁気ヘッド昇降部材１３０はホルダ２３に装着されているため、磁気ヘッド昇降部材１３０は、ホルダ２３と同じ回動中心を中心として、ホルダ２３と一体になって回動する。
【０１４５】
　一方、磁気ヘッド保持部材１１３は、ホルダ２３と一体になって回動する磁気ヘッド昇降部材１３０によって押し上げられる。磁気ヘッド保持部材１１３の磁気ヘッド保持弾性部１４２は、剛体である締結部材１４１に固定されているので、磁気ヘッド保持部材１１３の回動中心は、磁気ヘッド保持弾性部１４２と固定材５４との境界３０５付近となる。
【０１４６】
　この様にホルダ２３の回動中心軸と磁気ヘッド保持部材１１３の回動中心軸とは、ｙ方向及びｚ方向の双方でずれており、図４０Ｂ、４０Ｃに示したように、姿勢保持部１３２と磁気ヘッド昇降部材１３０とのｙ軸方向における位置関係が相対移動する。
【０１４７】
　よって、磁気ヘッド４が第２の位置から第３の位置へ移動すると、図４０Ａのように、第１の位置において平面部１３４と接触していた姿勢保持部１３２は、図４０Ｃのように、退避穴部１３１に入るようになる。
【０１４８】
　これにより、第３の位置で磁気ヘッド保持部材１１３が磁気ヘッド昇降部材１３０によって必要以上にホルダ２３から先端が離間する方向に持ち上げられることがなくなり、第３の位置での磁気ヘッド保持弾性部１４２の応力を小さくできる。このため、第３の位置を含めた磁気ヘッド装置の信頼性がさらに増すことになる。
【０１４９】
　なお、退避穴部１３１は、貫通孔の例で説明したが、切り欠きでもよく、光磁気ディスク１側に凹んだ凹部でもよい。
【０１５０】
　（実施の形態９）
　以下、図４１〜図４３を用いて実施の形態９に係る磁気ヘッド装置について説明する。図４１は、本発明の実施の形態９における第１の位置での磁気ヘッド装置の平面図である。図４２は、図４１の磁気ヘッド装置の第２の位置での平面図である。図４３Ａは図４１の磁気ヘッド装置の第１の位置でのＸ−Ｘ要部断面側面図であり、図４３Ｂは第２の位置でのＸ−Ｘ要部断面側面図であり、図４３Ｃは、第３の位置でのＸ−Ｘ要部断面側面図である。
【０１５１】
　実施の形態９の磁気ヘッド装置は、磁気ヘッド昇降部材１５０をホルダ２３に対しｙ方向に移動可能に取り付け、磁気ヘッド装置を第１の位置から第２の位置へ移動する間に磁気ヘッド昇降部材１５０をヘッド本体５側へ移動することで、光磁気ディスク１側に突出した姿勢保持部１５２と平面部１５４とが離間するように構成したことを特徴とする。
【０１５２】
　実施の形態９は実施の形態８に比べ、磁気ヘッド昇降部材１５０の取付け構造が異なっているが、基本的な構成、作用効果は実施の形態８と同様であり、実施の形態８と異なる部分を中心に以下説明する。
【０１５３】
　図４３Ａに示したように、磁気ヘッド昇降部材１５０にはｘ方向両端に形成された立ち壁１５０ａ（図４１参照）にｙ方向に長い長円形をした長穴部１５５を設けている。そして、磁気ヘッド昇降部材１５０はホルダ２３に、ホルダ２３の磁気ヘッド昇降平進軸１５７に長穴部１５５を係合させて取り付けられる。磁気ヘッド昇降部材１５０は図示しない昇降駆動部と連結している。
【０１５４】
　図４３Ａに示した第１の位置では姿勢保持部１５２が平面部１５４と当接し、磁気ヘッド保持部材１１３のｚ方向の位置を決めている。そして、図４３Ａ、４３Ｂに示したように、磁気ヘッド４が第１の位置から第２の位置へ移動する際には、磁気ヘッド昇降平進軸１５７と長穴部１５５との相対位置を変化させつつ、磁気ヘッド昇降部材１５０はｙ方向に移動しヘッド本体５側へ移動することになる。このｙ方向の移動により、姿勢保持部１５２は、磁気ヘッド昇降部材１５０の平面部１５４から離間することになる。
【０１５５】
　そして磁気ヘッド昇降部材１５０は時計回りに回動し中継部１３８と移動部１３９とに当接しｚ方向で光磁気ディスク１から遠ざかる方向へ移動する。これにより押さえ部１４０が第１のバネ系１０と当接し、第１のバネ系１０は弾性変形する。
【０１５６】
　磁気ヘッド昇降部材１５０がｙ方向でヘッド本体５側へ移動することで、磁気ヘッド昇降部材１５０が、傾斜した中継部１３８のヘッド本体５により近い部分を持ち上げることができるため、ヘッド本体５が光磁気ディスク１からより確実に離間する。
【０１５７】
　さらに第３の位置では磁気ヘッド保持部材１１３とホルダ２３との回動中心のずれから姿勢保持部１５２が平面部１５４に近づくものの、磁気ヘッド昇降部材１５０のｙ方向への移動量を確保することで、図４３Ｃに示すように姿勢保持部１５２が平面部１５４に乗り上げることはない。
【０１５８】
　以上のように、実施の形態９の磁気ヘッド装置によれば、第２の位置、第３の位置で、ヘッド本体５が光磁気ディスク１からより確実に離間するので、第２の位置での磁気ヘッド装置４の半径方向への移動や、第３の位置での光磁気ディスク１の着脱時にヘッド本体５がカートリッジ２と接触する確率が減り、磁気ヘッド装置の信頼性をさらに向上できる。
【産業上の利用可能性】
【０１５９】
　本発明は、磁気ヘッド装置の薄型化を図るものであり、本発明の磁気ヘッド装置は、光磁気記録再生装置や磁気ディスク装置に用いることができる。
【図面の簡単な説明】
【０１６０】
【図１】本発明の実施の形態１の磁気ヘッド昇降装置の平面図
【図２】本発明の実施の形態１の磁気ヘッド装置の要部平面図
【図３】本発明の実施の形態１の磁気ヘッド装置の第１の位置でのＸ−Ｘ断面側面図
【図４】本発明の実施の形態１の磁気ヘッド装置の第２の位置でのＸ−Ｘ断面側面図
【図５】本発明の実施の形態２の磁気ヘッド装置の平面図
【図６】本発明の実施の形態２の磁気ヘッド昇降装置の要部平面図
【図７】本発明の実施の形態２の磁気ヘッド装置の第１の位置でのＸ−Ｘ断面側面図
【図８】本発明の実施の形態２の磁気ヘッド装置の第２の位置でのＸ−Ｘ断面側面図
【図９Ａ】本発明の実施の形態２の磁気ヘッド装置の第１の位置でのＸ−Ｘ要部断面側面図
【図９Ｂ】本発明の実施の形態２の磁気ヘッド装置の第２の位置でのＸ−Ｘ要部断面側面図
【図１０】本発明の実施の形態３の磁気ヘッド装置の平面図
【図１１】本発明の実施の形態３の磁気ヘッド装置の要部平面図
【図１２】本発明の実施の形態３の磁気ヘッド装置の第１の位置でのＸ−Ｘ断面側面図
【図１３】本発明の実施の形態３の磁気ヘッド装置の第２の位置でのＸ−Ｘ断面側面図
【図１４Ａ】本発明の実施の形態３の磁気ヘッド装置の第１の位置でのＸ−Ｘ要部断面側面図
【図１４Ｂ】本発明の実施の形態３の磁気ヘッド装置の第２の位置でのＸ−Ｘ要部断面側面図
【図１５】本発明の実施の形態２の磁気ヘッド装置の磁気ヘッド押さえ弾性部の応力計算図
【図１６】本発明の実施の形態３の磁気ヘッド装置の磁気ヘッド押さえ弾性部の応力計算図
【図１７】本発明の実施の形態４の磁気ヘッド装置の平面図
【図１８】本発明の実施の形態４の磁気ヘッド装置の要部平面図
【図１９】本発明の実施の形態４の磁気ヘッド装置の第１の位置でのＸ−Ｘ断面側面図
【図２０】本発明の実施の形態４の磁気ヘッド装置の第２の位置でのＸ−Ｘ断面側面図
【図２１Ａ】本発明の実施の形態４の磁気ヘッド装置の第１の位置でのＸ−Ｘ要部断面側面図
【図２１Ｂ】本発明の実施の形態４の磁気ヘッド装置の第２の位置でのＸ−Ｘ要部断面側面図
【図２２】本発明の実施の形態５の磁気ヘッド装置の平面図
【図２３】本発明の実施の形態５の磁気ヘッド装置の要部平面図
【図２４】本発明の実施の形態５の磁気ヘッド装置の第１の位置でのＸ−Ｘ断面側面図
【図２５】本発明の実施の形態５の磁気ヘッド装置の第２の位置でのＸ−Ｘ断面側面図
【図２６Ａ】本発明の実施の形態５の磁気ヘッド装置の第１の位置でのＸ−Ｘ要部断面側面図
【図２６Ｂ】本発明の実施の形態５の磁気ヘッド装置の第２の位置でのＸ−Ｘ要部断面側面図
【図２７】本発明の実施の形態６の磁気ヘッド装置の平面図
【図２８】本発明の実施の形態６の磁気ヘッド装置の第１の位置でのＸ−Ｘ断面側面図
【図２９】本発明の実施の形態６の磁気ヘッド装置の第２の位置でのＸ−Ｘ断面側面図
【図３０Ａ】本発明の実施の形態６の磁気ヘッド装置の第１の位置でのＸ−Ｘ要部断面側面図
【図３０Ｂ】本発明の実施の形態６の磁気ヘッド装置の第２の位置でのＸ−Ｘ要部断面側面図
【図３１】本発明の実施の形態７の磁気ヘッド装置の平面図
【図３２】本発明の実施の形態７の磁気ヘッド昇降装置の要部平面図
【図３３】本発明の実施の形態７の磁気ヘッド装置の第１の位置でのＸ−Ｘ断面側面図
【図３４】本発明の実施の形態７の磁気ヘッド装置の第２の位置でのＸ−Ｘ断面側面図
【図３５Ａ】本発明の実施の形態７の磁気ヘッド装置の第１の位置でのＸ−Ｘ要部断面側面図
【図３５Ｂ】本発明の実施の形態７の磁気ヘッド装置の第２の位置でのＸ−Ｘ要部断面側面図
【図３６】本発明の実施の形態８の磁気ヘッド装置の平面図
【図３７】本発明の実施の形態８の磁気ヘッド装置の第１の位置でのＸ−Ｘ断面側面図
【図３８】本発明の実施の形態８の磁気ヘッド装置の第２の位置でのＸ−Ｘ断面側面図
【図３９】本発明の実施の形態８の磁気ヘッド装置の第３の位置でのＸ−Ｘ断面側面図
【図４０Ａ】本発明の実施の形態８の磁気ヘッド装置の第１の位置でのＸ−Ｘ要部断面側面図
【図４０Ｂ】本発明の実施の形態８の磁気ヘッド装置の第２の位置でのＸ−Ｘ要部断面側面図
【図４０Ｃ】本発明の実施の形態８の磁気ヘッド装置の第３の位置でのＸ−Ｘ要部断面側面図
【図４１】本発明の実施の形態９の第１の位置での磁気ヘッド装置の平面図
【図４２】本発明の実施の形態９の第２の位置での磁気ヘッド装置の平面図
【図４３Ａ】本発明の実施の形態９の磁気ヘッド装置の第１の位置でのＸ−Ｘ要部断面側面図
【図４３Ｂ】本発明の実施の形態９の磁気ヘッド装置の第２の位置でのＸ−Ｘ要部断面側面図
【図４３Ｃ】本発明の実施の形態９の磁気ヘッド装置の第３の位置でのＸ−Ｘ要部断面側面図
【図４４】従来の磁気ヘッド装置の平面図
【図４５】従来の磁気ヘッド装置の第１の位置でのＸ−Ｘ断面側面図
【図４６】従来の磁気ヘッド装置の第２の位置でのＸ−Ｘ断面側面図
【図４７】従来の磁気ヘッド装置のヘッド本体の側面断面図
【符号の説明】
【０１６１】
　１　光磁気ディスク
　２　カートリッジ
　３　フレキシブルプリント基板
　４　磁気ヘッド
　５　ヘッド本体
　６　支持材
　７　固定材
　８　第２のバネ系
　９　中継部
　１０　第１のバネ系
　１１　絞りリブ
　１２　フック
　１３　磁気コア
　１４　コイル
　１５　磁気ヘッド素子
　１６　摺動体
　１７　摺動部
　１８　シャフト
　１９　締結部材
　２０　磁気ヘッド昇降部材
　２３　ホルダ
　２４　スライド部材
　２５　昇降駆動部
　２６　昇降回動軸
　５０　ばね
　５１　支持材穴部
　５２　磁気ヘッド保持弾性部
　５３　磁気ヘッド保持部材
　５４　固定材
　５５　支持材
　５６　姿勢保持部
　５７　磁気ヘッド昇降部材
　５８　締結部材
　５９　中継部
　６１　磁気ヘッド押さえ部材
　６２　磁気ヘッド押さえ回動軸
　６３　押さえ部
　６４　移動部
　６５　磁気ヘッド押さえ昇降メカ
　６６　昇降回動軸
　７０　磁気ヘッド昇降部材
　７１　磁気ヘッド押さえ部材
　７２　磁気ヘッド押さえ弾性部
　７３　押さえ部
　７４　移動部
　７５　磁気ヘッド保持部材
　７７　固定材
　８１　磁気ヘッド押さえ部材
　８２　磁気ヘッド押さえ弾性部
　８３　押さえ部
　８４　移動部
　８５　磁気ヘッド保持部材
　９０　磁気ヘッド昇降部材
　９１　磁気ヘッド押さえ部材
　９４　移動部
　１００　磁気ヘッド昇降部材
　１０１　磁気ヘッド押さえ部材
　１０４　移動部
　１０６　支持材
　１０７　立ち壁
　１０９　中継部
　１１０　磁気ヘッド昇降部材
　１１１　平面部
　１１２　姿勢保持部
　１１３　磁気ヘッド保持部材
　１１４　磁気ヘッド押さえ弾性部
　１１５　磁気ヘッド押さえ部材
　１１６　磁気ヘッド昇降回動軸
　１１７　支持材
　１１８　中継部
　１２６　昇降回動軸
　１２７　ねじ
　１３０　磁気ヘッド昇降部材
　１３１　退避穴部
　１３２　姿勢保持部
　１３３　磁気ヘッド昇降部材
　１３４　平面部
　１３５　磁気ヘッド押さえ部材
　１３６　支持材
　１３７　磁気ヘッド昇降回動軸
　１３８　中継部
　１３９　移動部
　１４０　押さえ部
　１４１　締結部材
　１４２　磁気ヘッド保持弾性部
　１５０　磁気ヘッド昇降部材
　１５２　姿勢保持部
　１５４　平面部
　１５５　長穴部
　１５７　磁気ヘッド昇降平進軸
　２２０　リフトメカ
　２２１　昇降部
　２２６　昇降回動軸
【図１】
2004119000.tif 000003
【図２】
2004119000.tif 000004
【図３】
2004119000.tif 000005
【図４】
2004119000.tif 000006
【図５】
2004119000.tif 000007
【図６】
2004119000.tif 000008
【図７】
2004119000.tif 000009
【図８】
2004119000.tif 000010
【図９Ａ】
2004119000.tif 000011
【図９Ｂ】
2004119000.tif 000012
【図１０】
2004119000.tif 000013
【図１１】
2004119000.tif 000014
【図１２】
2004119000.tif 000015
【図１３】
2004119000.tif 000016
【図１４Ａ】
2004119000.tif 000017
【図１４Ｂ】
2004119000.tif 000018
【図１５】
2004119000.tif 000019
【図１６】
2004119000.tif 000020
【図１７】
2004119000.tif 000021
【図１８】
2004119000.tif 000022
【図１９】
2004119000.tif 000023
【図２０】
2004119000.tif 000024
【図２１Ａ】
2004119000.tif 000025
【図２１Ｂ】
2004119000.tif 000026
【図２２】
2004119000.tif 000027
【図２３】
2004119000.tif 000028
【図２４】
2004119000.tif 000029
【図２５】
2004119000.tif 000030
【図２６Ａ】
2004119000.tif 000031
【図２６Ｂ】
2004119000.tif 000032
【図２７】
2004119000.tif 000033
【図２８】
2004119000.tif 000034
【図２９】
2004119000.tif 000035
【図３０Ａ】
2004119000.tif 000036
【図３０Ｂ】
2004119000.tif 000037
【図３１】
2004119000.tif 000038
【図３２】
2004119000.tif 000039
【図３３】
2004119000.tif 000040
【図３４】
2004119000.tif 000041
【図３５Ａ】
2004119000.tif 000042
【図３５Ｂ】
2004119000.tif 000043
【図３６】
2004119000.tif 000044
【図３７】
2004119000.tif 000045
【図３８】
2004119000.tif 000046
【図３９】
2004119000.tif 000047
【図４０Ａ】
2004119000.tif 000048
【図４０Ｂ】
2004119000.tif 000049
【図４０Ｃ】
2004119000.tif 000050
【図４１】
2004119000.tif 000051
【図４２】
2004119000.tif 000052
【図４３Ａ】
2004119000.tif 000053
【図４３Ｂ】
2004119000.tif 000054
【図４３Ｃ】
2004119000.tif 000055
【図４４】
2004119000.tif 000056
【図４５】
2004119000.tif 000057
【図４６】
2004119000.tif 000058
【図４７】
2004119000.tif 000059